【手続補正書】
【提出日】平成18年7月5日(2006.7.5)
【手続補正１】
【補正対象書類名】特許請求の範囲
【補正対象項目名】全文
【補正方法】変更
【補正の内容】
【特許請求の範囲】
【請求項１】
式：
【化１】
2006504841.tif 000001
［式中、
Ｘは第一級カルバメート基であり、
ｎは２以上の整数であり、
ｎ′は１以上の整数であり、
Ｒ０、Ｒ１、Ｒ２、Ｒ３、Ｒ４及びＲ５は無関係にＨ、アルキル基、芳香族基又はその混合物であり、
少なくとも１つのＲ１又はＲ２基は水素でなく、
Ｌは結合基であり、
ｊは１以上の数であり、
Ｐは化合物、オリゴマー、ポリマー及びその混合物からなる群から選択される材料であり、実質的に全ての第一級カルバメート基Ｘは、結合基Ｌが結合されている炭素原子より置換度が低い炭素原子に結合されている］で示される第一級カルバメート官能性材料であって、
（１）官能基Ｚと反応性であるが、モノマー型の反応性化合物（２）の第一級カルバメート基Ｘと実質的に非反応性である１つ以上の官能基（ｉ）を有する少なくとも１種の材料Ｐ、
（２）式：
【化２】
2006504841.tif 000002
［式中、
Ｘは第一級カルバメート基であり、
Ｚは材料（１）の少なくとも１つの官能基と反応性の官能基であり、かつヒドロキシ基、ハロゲン化物基及びその誘導体からなる群から選択され、
ｎは２以上の整数であり、
ｎ′は１以上の整数であり、かつ
Ｒ０、Ｒ１、Ｒ２、Ｒ３、Ｒ４及びＲ５は無関係にＨ、アルキル基、芳香族基又はその混合物であるが、但し
（ｉ）少なくとも１つのＲ１又はＲ２基は水素でなく、かつ
（ｉｉ）実質的に全ての構造において、第一級カルバメート基Ｘは、官能基Ｚが結合されている炭素原子より置換度が低い炭素原子に結合される］で示される１つ以上の構造を有するモノマー型の反応性化合物
の反応生成物を含有する第一級カルバメート官能性材料。
【請求項２】
結合基Ｌが材料Ｐの官能基（ｉ）とモノマー型の反応性化合物（２）の官能基Ｚとの反応生成物である、請求項１記載の第一級カルバメート官能性材料。
【請求項３】
結合基Ｌが更に、ヒドロキシ基をヒドロキシ基の誘導体基に変換する反応の反応生成物を含む、請求項２記載の第一級カルバメート官能性材料。
【請求項４】
結合基Ｌが更に、ハロゲン化物基をハロゲン化物基の誘導体基に変換する反応の反応生成物を含む、請求項２記載の第一級カルバメート官能性材料。
【請求項５】
結合基Ｌがエステル、エーテル、ウレタン、尿素及びシランからなる群から選択される、請求項２記載の第一級カルバメート官能性材料。
【請求項６】
Ｚがヒドロキシ基又はハロゲン化物基の官能性誘導体である、請求項１記載の第一級カルバメート官能性材料。
【請求項７】
Ｚが、酸基、エポキシ基、環状カーボネート基、シラン基、イソシアネート基、アミン基、特に第一級アミン及び第二級アミン、水素化ケイ素、アルケン、有機金属及びその混合物からなる群から選択されるヒドロキシ基又はハロゲン化物基の官能性誘導体である、請求項６記載の第一級カルバメート官能性材料。
【請求項８】
Ｐが化合物である、請求項１記載の第一級カルバメート官能性材料。
【請求項９】
Ｐが、６８〜２０００の数平均分子量を有する化合物である、請求項８記載の第一級カルバメート官能性材料。
【請求項１０】
Ｐが一官能性化合物又は多官能性化合物からなる群から選択される化合物である、請求項８記載の第一級カルバメート官能性材料。
【請求項１１】
Ｐが、連鎖延長されていない脂肪族、脂環式、芳香族、ポリアミン、無水物、ポリ酸、複素環式化合物、アルケン官能性化合物及びその混合物からなる群から選択される化合物である、請求項１０記載の第一級カルバメート官能性材料。
【請求項１２】
Ｐがオリゴマーである、請求項１記載の第一級カルバメート官能性材料。
【請求項１３】
Ｐが２００〜１４９９ダルトンの数平均分子量を有するオリゴマーである、請求項１２記載の第一級カルバメート官能性材料。
【請求項１４】
Ｐがポリマーである、請求項１記載の第一級カルバメート官能性材料。
【請求項１５】
Ｐが更に、第一級カルバメート基Ｘと実質的に非反応性であるが、官能基（ｉ）とは異なる１つ以上の付加的な官能基（ｉｉ）を含む、請求項１記載の第一級カルバメート官能性材料。
【請求項１６】
請求項１記載の第一級カルバメート官能性材料であって、モノマー型の反応性化合物（２）が
官能基Ｆｉ及び官能基Ｆｉｉを少なくとも３つの炭素原子だけ離れて有する化合物（ａ）を提供し、その際
（１）前記の官能基Ｆｉ及びＦｉｉがそれぞれヒドロキシ基又はハロゲン化物基であり、かつ
（２）官能基Ｆｉが、官能基Ｆｉｉが結合されている炭素原子より置換度が低い炭素原子に結合されており、
官能基Ｆｉと反応性で第一級カルバメート基を生成する少なくとも１つの官能基（ｉｉｉ）を有する１種以上の化合物（ｂ）を提供し、かつ
化合物（ａ）と化合物（ｂ）とを反応させて、式
【化３】
2006504841.tif 000003
［式中、
Ｘは第一級カルバメート基であり、
Ｙはヒドロキシ基又はハロゲン化物基であり、
ｎは２以上の整数であり、
ｎ′は１以上の整数であり、かつ
Ｒ０、Ｒ１、Ｒ２、Ｒ３、Ｒ４及びＲ５は無関係にＨ又は、脂肪族基、脂環式基、芳香族基及びその混合物から選択される基であってよいが、但し、
（ｉ）少なくとも１つのＲ１及びＲ２基は水素でなく、かつ
（ｉｉ）第一級カルバメート基Ｘは官能基Ｙが結合されている炭素原子より置換度が低い炭素原子に結合されている］の化合物を製造する
ことを含む方法によって製造される第一級カルバメート官能性材料。
【請求項１７】
式：
Ｐ−［−Ｌ−Ｆ］ｊ
［式中、
Ｘは第一級カルバメート基であり、
ｎは２以上の整数であり、
ｎ′は１以上の整数であり、
Ｒ０、Ｒ１、Ｒ２、Ｒ３、Ｒ４及びＲ５は無関係にＨ、アルキル基、芳香族基又はその混合物であり、
少なくとも１つのＲ１又はＲ２基は水素でなく、
Ｌは結合基であり、
ｊは１以上の数であり、
Ｐは化合物、オリゴマー、ポリマー及びその混合物からなる群から選択される材料であり、
第一級カルバメート基Ｘは、結合基Ｌが結合されている炭素原子より置換度が低い炭素原子に結合されている］で示される第一級カルバメート官能性材料であって、
（１）化合物、オリゴマー、ポリマー及びその混合物から選択され、官能基Ｚと反応性であるが、モノマー型の反応性化合物（２）の第一級カルバメート基Ｘと実質的に非反応性である１つ以上の官能基を有する少なくとも１種の材料、
（２）式：
【化４】
2006504841.tif 000004
［式中、
Ｘは第一級カルバメート基であり、
Ｚは材料（１）の少なくとも１つの官能基と反応性の官能基であり、かつヒドロキシ基、ハロゲン化物基及びその誘導体からなる群から選択され、
ｎは２以上の整数であり、
ｎ′は１以上の整数であり、かつ
Ｒ０、Ｒ１、Ｒ２、Ｒ３、Ｒ４及びＲ５は無関係にＨ、アルキル基、芳香族基又はその混合物であるが、但し
（ｉ）少なくとも１つのＲ１又はＲ２基は水素でなく、かつ
（ｉｉ）実質的に全ての構造において、第一級カルバメート基Ｘは、官能基Ｚが結合されている炭素原子より置換度が低い炭素原子に結合される］で示される１つ以上の構造を有するモノマー型の反応性化合物
の反応生成物を含有する第一級カルバメート官能性材料。
【請求項１８】
請求項１記載の第一級カルバメート官能性材料を含有する硬化性被覆組成物。
【請求項１９】
更に、第一級カルバメート基Ｘと反応性の１つ以上の官能基を有する硬化剤を含有する、請求項１８記載の硬化性被覆組成物。
【請求項２０】
第一級カルバメート官能性材料の製造方法であって、
（１）化合物、オリゴマー、ポリマー及びその混合物からなる群から選択され、官能基Ｚと反応性であるが、モノマー型の反応性化合物（２）の第一級カルバメート基Ｘと実質的に非反応性である１つ以上の官能基（ｉ）を有する少なくとも１種の材料Ｐ、及び
（２）式
【化５】
2006504841.tif 000005
［式中、
Ｘは第一級カルバメート基であり、
Ｚは材料（１）の少なくとも１つの官能基と反応性の官能基であり、かつヒドロキシ基、ハロゲン化物基及びその誘導体からなる群から選択され、
ｎは２以上の整数であり、
ｎ′は１以上の整数であり、かつ
Ｒ０、Ｒ１、Ｒ２、Ｒ３、Ｒ４及びＲ５は無関係にＨ、アルキル基、芳香族基又はその混合物であるが、但し、
（ｉ）少なくとも１つのＲ１又はＲ２基は水素ではなく、かつ
（ｉｉ）実質的に全ての構造において、第一級カルバメート基Ｘは、官能基Ｚが結合されている炭素原子より置換度が低い炭素原子に結合されている］の１種以上の構造を有するモノマー型の反応性化合物を反応させることを含む、第一級カルバメート官能性材料の製造方法。